【事件の表示】
　昭和６３年特許願第２８７０９２号「画像処理装置」拒絶査定に対する審判事件［平成　２年　５月２２日出願公開、特開平　２−１３２９６３］について、次のとおり審決する。
【結　論】
　本件審判の請求は、成り立たない。
【理　由】
１．手続の経緯・本願発明　
　本願は、昭和６３年１１月１４日の出願であって、その請求項１に係る発明は、平成１３年２月２６日付けの手続補正書により補正された明細書及び図面の記載からみて、本願の特許請求の範囲の請求項１に記載されたとおりの次のものと認める。（以下、「本願発明」という）
「１．複数色成分で構成されるカラー画像を入力する画像入力手段と、
　前記画像入力信号から入力されたカラー画像を２値化し、２値データを生成する２値化手段と、
　前記２値化手段で生成された２値データを記憶する２値データ記憶手段と、
　前記２値データと前記画像入力手段で入力されたカラー画像とを合成する際に利用される合成方法であって、前記２値データに付与する色の設定を含む合成方法を設定する設定手段と、
　前記設定手段で設定された色および合成方法にしたがって、前記画像入力手段で入力されたカラー画像と前記２値データとを合成出力する出力手段とを有することを特徴とするカラー画像処理装置。」
　
２．引用例
　これに対して、原審の拒絶の理由及び、当審の平成１１年７月５日付けの拒絶の理由に引用された特開昭６３−２７２２６５号公報（以下「引用例」という。）には、次の事項が記載されている。
（１）「情報を供給する供給手段と、この供給された情報を記憶する記憶手段と、情報の合成を指示する指示手段と、この指示手段の指示に応じて前記記憶手段に記憶された情報と前記供給手段から供給された情報とを合成する制御手段とを具備したことを特徴とする情報処理装置。」（引用例の第１頁下左欄第５〜１０行目） 
（２）「供給手段は、原稿を光学的に読取る読取手段からなることを特徴とする特許請求の範囲第１項記載の情報処理装置。」（引用例の第１頁下左欄第１１〜１３行目）
（３）「供給手段は、情報を記憶する光ディスク装置からなることを特徴とする特許請求の範囲第１項記載の情報処理装置。」（引用例の第１頁下左欄第１４〜１６行目）
（４）「制御手段は、論理演算回路を有し、この論理演算回路は前記指示手段の指示に従って記憶手段に記憶されている情報と供給された情報とを論理演算して前記記憶手段に書込むことを特徴とする特許請求第１項記載の情報処理装置。」（引用例の第１頁下左欄第１７行目〜同頁下右欄第１行目）
（５）「システムバス１１には制御手段としてのＣＰＵ１２が接続されている。このＣＰＵ１２は、装置の全体的な制御を行うものであり、マルチタスク動作が可能とされている。このＣＰＵ１２には、コマンド情報等の各種情報を入力するキーボード１３、およびＣＲＴディスプレイ装置２６の画面上表示されるカーソルを移動するマウス１４が接続されている。このマウス１４にはカーソルの位置等を指示する、図示せぬ第１釦、第２釦が設けられている。」（引用例の第２頁上右欄第５〜１４行目）
（６）「さらに、システムバス１１とイメージバス２０の相互間には、一部分がファーストイン／ファーストアウトのメモリとして動作されるページメモリ２１、表示メモリ２２ａワーキング表示メモリ２２ｂ、画像情報の拡大縮小を行う拡大縮小回路２３、画像情報の縦横変換を行う縦横変換回路２４、画像情報の重合せ処理を行う場合に動作される論理演算回路３４が接続されている。」（引用例の第２頁下左欄第８〜１５行目）
（７）「この表示状態において、カーソルＫによって例えばオア「ＯＲ」を指示し、「確認」アイコンを指示すると、前記オア論理回路による画像合成が設定される。そして、共通アイコンＣ１の「スキャナ」「画像表示」をこの順序で指定すると、スキャナ２７が動作されて原稿画像が読込まれるとともに、この読込まれた画像情報とページメモリ２１に記憶されている画像情報とがオア論理回路によって合成され、ＣＲＴディスプレイ装置２６の画面に表示される。」（引用例の第３頁下右欄第１３行目〜第４頁上左欄第２行目）
（８）「上述したようにモードを設定した状態において、スキャナ２７を動作すると、スキャナ２７から読み込まれた画像情報は、インターフェイス回路２９を介して論理演算回路３４のオア論理回路に入力される。この場合、拡大縮小回路２３、縦横変換回路２４、論理演算回路３４はスルーされる。これに対してページメモリ２１から読出された画像情報も論理演算回路３４のオア論理回路に供給される。このようにしてオア論理回路によって合成された画像情報は、再びページメモリ２１に記憶される。この合成処理が終了すると、ページメモリ２１に書込まれた画像情報は、表示メモリ２２ａに転送され、表示制御部２５の動作に従ってＣＲＴディスプレイ装置２６の画面上に表示される。」（引用例の第４頁上左欄第１０行目〜同頁上右欄第４行目）
　
　この記載事項によると、引用例には次のことが記載されている。
「原稿の画像情報を供給するスキャナ等の供給手段と、
　この供給された情報を記憶するページメモリ等の記憶手段と、
　情報の合成を指示するキーボード、マウス等の指示手段と、
　この指示手段の指示に応じて前記記憶手段に記憶された情報と前記供給手段から供給された情報とを合成する、論理演算回路等を有する制御手段と、
　合成した情報を出力するＣＲＴディスプレイ装置等の表示手段と
を具備したことを特徴とする情報処理装置。」
　
３．対比
　本願発明と引用例に記載された発明を対比すると、引用例の「供給手段」、「情報」、「指示手段」、「制御手段と表示手段」、「情報処理装置」は、本願発明の「画像入力手段」、「データ」、「設定手段」、「出力手段」、「画像処理装置」にぞれぞれ相当するするから、両者は
「画像を入力する画像入力手段と、
　データを記憶する記憶手段と、
　前記データと前記画像入力手段で入力された画像とを合成する際に利用される合成方法であって、合成方法を設定する設定手段と、
　前記設定手段で設定された合成方法にしたがって、前記画像入力手段で入力された画像と前記データとを合成出力する出力手段と
を有することを特徴とする画像処理装置。」
で一致し、次の点で相違する。
（相違点）
（１）相違点１
　画像入力手段が、本願発明が複数色成分で構成されるカラー画像を入力するのに対して、引用例は、複数色成分で構成されるカラー画像を入力するとは記載されていない点。
（２）相違点２
　本願発明が、画像入力信号から入力されたカラー画像を２値化し、２値データを生成する２値化手段を有しているのに対して、引用例で２値化手段については記載されていない点。
（３）相違点３
　記憶手段が、本願発明は、２値化手段で生成された２値データを記憶するのに対して、引用例は、２値化手段で生成された２値データを記憶するとは記載されていない点。
（４）相違点４
　設定手段が、本願発明では、２値データと画像入力手段で入力されたカラー画像とを合成する際に利用される合成方法であって、前記２値データに付与する色の設定を含む合成方法を設定するのに対して、引用例では、指示手段の指示に指示に応じて画像情報が合成されており、２値データともカラー画像とも、色の設定を含む合成方法を設定するとも記載されていない点。
（５）相違点５
　出力手段が、本願発明が、設定手段で設定された色および合成方法にしたがって、画像入力手段で入力されたカラー画像と２値データとを合成出力するのに対して、引用例では、色および合成方法にしたがって、カラー画像と２値データとを合成出力するとは記載されていない点。
（６）相違点６
　画像処理装置が、本願発明はカラー画像処理装置であるのに対して、引用例は、カラー画像については記載されていない点。
　
４．当審の判断
　上記相違点について検討する。
　一般的に、一度２値化データにしたカラー画像から、多様なカラー画像合成を行うことは周知のことである（例えば、特開昭６０−１３４９７６号公報等を参照）から、
　上記相違点１については、引用例においても、供給手段を複数色成分で構成されるカラー画像を入力するようにすることは当業者が容易に推考することができることであり、
　上記相違点２については、引用例において、入力されたカラー画像を２値化し、２値データを生成する２値化手段を設けることは当業者が容易に推考することができることであり、
　上記相違点３については、引用例の記憶手段が２値化手段で生成された２値データを記憶することは当業者が容易に推考することができることであり、
　上記相違点４については、引用例において、２値データと画像入力手段で入力されたカラー画像とを合成する際に利用される合成方法として、２値データに付与する色の設定を含む合成方法を設定するようにすることは当業者が容易に推考することであり、
　上記相違点５については、引用例の制御手段と表示手段が、設定手段で設定された色および合成方法にしたがって、画像入力手段で入力されたカラー画像と２値データとを合成出力するようにすることは当業者が容易に推考することであり、
さらに、上記相違点６については、引用例の情報処理装置をカラー画像処理装置とすることも当業者が容易に推考することができることである。　
　
５．むすび
　したがって、本願発明は、引用例に記載された発明に基いて当業者が容易に発明をすることができたものであるので、特許法第２９条第２項の規定により特許を受けることができない。
　よって、結論のとおり審決する。